(57)【要約】【課題】  レーザー墨出器を回転させても基準点からレーザー交点がずれることないレーザー墨出器を提供する。【解決手段】  微動回転機構等を微動回転させたときに、２本の直交するレーザーラインＲ１，Ｒ２の交差する交点Ｏを中心にしてレーザー墨出器の本体２部分を回転させることができるので、レーザー墨出器から照射される垂直方向の２本のレーザーラインＲ１，Ｒ２の床面上の交点Ｏを基準点に迅速かつ正確に合わせた後に、本体部分２を回転させてもレーザー交点Ｏが基準点からずれることないので、柱際や壁際での墨出作業を効率的に且つ迅速に行うことができる。【選択図】        図８
2014169909.tif 000002
【特許請求の範囲】
【請求項１】
構造物の側壁面や天井面及び床面にレーザーラインを出力して表示するレーザー墨出器において、
前記レーザー墨出器は、
２本の直交するレーザーラインを当該レーザー墨出器本体の外側の床面で交差させるレーザー発振器を備えたレーザー照射ユニットと、
該レーザー照射ユニットが載置固定さる微動回転ユニットと、
該微動回転ユニットに載置固定された状態の前記レーザー照射ユニットを覆うカバーと、
該カバーを含む前記微動回転ユニットを所定の範囲内でスライド移動可能に且つ回転自在に軸支する台座ユニットと、
からなり、
前記台座ユニットには、当該台座ユニットに対する前記微動回転ユニットのスライド移動及び回転ができないように固定する固定機構を備え、
前記微動回転ユニットには、前記固定機構によって当該微動回転ユニットのスライド移動及び回転ができないように固定された状態で前記レーザー照射ユニットを前記台座ユニットに対して微動回転させる微動回転機構を備え、
該微動回転機構は、微動回転させたときに、前記２本の直交するレーザーラインの交差する交点を中心にして前記レーザー照射ユニットを前記台座ユニットに対して回転させることを特徴とするレーザー墨出器。
【請求項２】
前記固定機構は、前記台座ユニットの主体を構成する台座本体盤の底面下部から外側に突出する固定レバーと、前記台座本体盤の内部に設けられ且つ前記固定レバーの操作により回転する主動歯車と、該主動歯車の回転に従動回転すると共にその底面に高さの低い低凸部と高さの高い高凸部とが交互に形成される従動歯車と、該従動歯車が回転自在に挿通軸支されると共にその下部に前記従動歯車の底面の前記低凸部及び前記高凸部と当接する当接突起が突出形成される中央凸状軸輪と、前記主動歯車と前記従動歯車と前記中央凸状軸輪の下方部分とを前記台座本体盤の内部に収納した状態で当該台座本体盤の上面を閉塞するように固定される台座カバー体と、前記中央凸状軸輪の上方部分であって前記台座カバー体から突出する上方軸輪部が貫通される開口を有し且つ前記微動回転ユニットが固定されるスライド円板と、該スライド円板を挟持し且つ前記中央凸状軸輪の前記上方軸輪部に固定される固定板と、からなり、
前記固定レバーを固定解除方向に移動操作して前記主動歯車と前記従動歯車とを回転させることにより、前記従動歯車の底面に形成される前記低凸部と前記中央凸状軸輪の当接突起とが当接した状態とし、この状態で前記台座カバー体と前記固定板とによる前記スライド円板の挟持状態が弛んだ状態となっているため、前記微動回転ユニットが固定される前記スライド円板を前記開口と前記上方軸輪部の外形との間に形成される隙間の範囲内でスライド移動及び回転を行うことができるようにし、
前記固定レバーを固定方向に移動操作して前記主動歯車と前記従動歯車とを回転させることにより、前記従動歯車の底面に形成される前記高凸部と前記中央凸状軸輪の当接突起とが当接した状態とし、この状態で前記台座カバー体と前記固定板とによる前記スライド円板の挟持状態が圧接した状態となっているため、前記微動回転ユニットが固定される前記スライド円板を前記開口と前記上方軸輪部の外形との間に形成される隙間の範囲内でスライド移動及び回転を行うことができないように固定することを特徴とする請求項１記載のレーザー墨出器。
【請求項３】
前記微動回転機構は、前記微動回転ユニットの主体を構成する微動回転盤の外側に突出する微動摘みと、前記微動回転盤に形成される調節ネジ取付筒部の内周に形成される雌ネジ穴に螺合され且つ前記微動摘みがその一端に固定される調節ネジ棒と、該調節ネジ棒の他端と当接する当接部を有し且つ前記微動回転盤の内部に揺動自在に軸支される揺動カムと、該揺動カムの揺動に沿ってスライドする円弧形状の円弧状スライド板と、前記微動回転盤の内部に形成され且つ前記円弧状スライド板を摺動案内する円弧状案内溝と、前記円弧状スライド板を前記揺動カムの揺動に沿ってスライドする方向と逆方向に付勢するスプリングと、前記円弧状スライド板に連結固定されると共に前記レーザー照射ユニットが載置固定される連結固定板と、からなり、
前記円弧状案内溝を前記２本の直交するレーザーラインの交差する交点を中心とする円弧状に形成し、
前記微動摘みを回転操作して前記調節ネジ棒と前記雌ネジ穴との螺合により前記揺動カムを揺動させて前記円弧状スライド板を前記円弧状案内溝に案内させて前記スプリングの付勢力に抗して円弧状にスライド移動させると共に、前記円弧状スライド板に連結固定される連結固定板も円弧状にスライド移動させることにより、前記連結固定板に載置固定される前記レーザー照射ユニットを該レーザー照射ユニットから照射される２本の直交するレーザーラインの交差する交点を中心として微動させることを特徴とする請求項１又は請求項２記載のレーザー墨出器。
【発明の詳細な説明】
【技術分野】
【０００１】
本発明は、建築工事や土木工事において使用されるレーザー墨出器に関するものであり、該レーザー墨出器から照射される垂直方向の２本のレーザーの床面上の交点を、基準点（「地墨点」ともいう）に迅速かつ正確に合わせ、さらに該レーザー墨出器を回転させても基準点からレーザー交点がずれることなく回転させて照射すべき方向へ向けようとするものである。
【背景技術】
【０００２】
構造物の側壁面や天井面あるいは床面などにレーザーラインを出力して表示する、いわゆるレーザー墨出器には、出力されたレーザーラインが３６０°にわたって照射できるよう照射器本体の下端には回転機構が組み込まれており、作業者は、レーザー墨出器を設置したのちに、この回転機構で照射器本体を手動で大まかに回転させ、さらに微動による調整にて目標とする場所に正確に合致させる手順を経て墨出しを行うようにしている。そして、レーザー墨出器を設置する際に、特許文献１に示されるように、レーザー墨出器の本体の回転中心から床面に向かって照射される地墨レーザーを、床面などに記されている基準点と合致させた後に、回転機構を調整しながら目標となる方向に正確にレーザーラインを合致させる作業を行うこととなる。
【先行技術文献】
【特許文献】
【０００３】
【特許文献１】特開平１０−３２５７２３号公報（図５）
【０００４】
ところで、建築現場などにおいて墨出作業を行う場合には、往々にして柱際や壁際で行う頻度が高く、この場合において、特許文献１に示すレーザー墨出器のように、本体の回転中心から床面に向かって地墨レーザーを照射する構造のものでは、図９に示すように、レーザー墨出器Ａの本体カバーＢを柱Ｈあるいは壁Ｋ等に当接させて使用した場合でも、本体カバーＢの半径ｒ１より近い位置の床面上の基準点Ｐに合致させることはできず、柱Ｈあるいは壁Ｋから半径ｒ１以上ズレた位置でしか墨出作業を行うことができないという欠点があった。
【０００５】
上記のように柱Ｈあるいは壁Ｋから墨出作業を行うことができる距離を「逃げ墨」という場合があるが、その「逃げ墨」の距離を小さく、あるいはほとんど無くすことができるレーザー墨出器として、例えば、図１０に示すように、レーザー墨出器Ｃの本体カバーＤの外側の９０度の位置に垂直方向のレーザーラインを照射する照射機構を覆う２つの照射カバーＥを張り出させ、その照射カバーＥの中央から照射される２本の直交するレーザーラインの交点を基準点Ｐとするレーザー墨出器Ｃが市場に提供されている。このようなレーザー墨出器Ｃにおいては、柱Ｈの角部を基準点Ｐとして「逃げ墨」の距離をほとんどなくすことができたり、あるいは照射カバーＥを壁Ｋに当接させて設置させたときには、「逃げ墨」の距離を照射カバーＥの半分程度の極めて小さい距離ｒ２とすることができ、柱際や壁際での墨出作業を比較的正確に行うことができる。
【発明の概要】
【発明が解決しようとする課題】
【０００６】
しかし、上記のように２本の直交するレーザーラインを本体カバーＤの外側で交差させて基準点Ｐに交点を設置するレーザー墨出器Ｃであっても、図１１（Ａ）に示すように、２本のレーザーラインＲ１，Ｒ２の交点を基準点Ｐに合致させた後に、微調整してレーザー墨出器Ｃの本体カバーＤを回転（図示の場合には反時計回転方向）させたときに、本体カバーＤの中央を中心として回転するため、２本のレーザーラインＲ１，Ｒ２の交点Ｑと床面の基準点Ｐとがずれて、測定したいラインＳ方向に正確に合わせることができないという欠点がある。
【０００７】
本発明は、上記した事情に鑑みなされたもので、その目的とするところは、レーザー墨出器から照射される垂直方向の２本のレーザーの床面上の交点を、基準点に迅速かつ正確に合わせ、さらに該レーザー墨出器を回転させても基準点からレーザー交点がずれることないレーザー墨出器を提供することにある。
【課題を解決するための手段】
【０００８】
上記した課題を解決するために、請求項１に係る発明が採用した構成を、図面を参照して説明すると、図１及び図８に示すように、構造物の側壁面や天井面及び床面にレーザーラインを出力して表示するレーザー墨出器１において、前記レーザー墨出器１は、２本の直交するレーザーラインを当該レーザー墨出器本体の外側の床面で交差させるレーザー発振器２３を備えたレーザー照射ユニット５と、該レーザー照射ユニット５が載置固定さる微動回転ユニット６と、該微動回転ユニット６に載置固定された状態の前記レーザー照射ユニット５を覆うカバー２，３と、該カバー２，３を含む前記微動回転ユニット６を所定の範囲内でスライド移動可能に且つ回転自在に軸支する台座ユニット７と、からなり、前記台座ユニット７には、当該台座ユニット７に対する前記微動回転ユニット６のスライド移動及び回転ができないように固定する固定機構７３等を備え、前記微動回転ユニット６には、前記固定機構７３等によって当該微動回転ユニット６のスライド移動及び回転ができないように固定された状態で前記レーザー照射ユニット５を前記台座ユニット７に対して微動回転させる微動回転機構４５等を備え、該微動回転機構４５等は、微動回転させたときに、前記２本の直交するレーザーラインの交差する交点を中心にして前記レーザー照射ユニット５を前記台座ユニット７に対して回転させることを特徴とする。
【０００９】
また、請求項２に係る発明が採用した構成を、図面を参照して説明すると、図２及び図５〜図７に示すように、請求項１に係るレーザー墨出器１において、前記固定機構は、前記台座ユニット７の主体を構成する台座本体盤６０の底面下部から外側に突出する固定レバー７３と、前記台座本体盤６０の内部に設けられ且つ前記固定レバー７３の操作により回転する主動歯車７２と、該主動歯車７２の回転に従動回転すると共にその底面に高さの低い低凸部７０と高さの高い高凸部７１とが交互に形成される従動歯車６８と、該従動歯車６８が回転自在に挿通軸支されると共にその下部に前記従動歯車６８の底面の前記低凸部７０及び前記高凸部７１と当接する当接突起６７が突出形成される中央凸状軸輪６６と、前記主動歯車７２と前記従動歯車６８と前記中央凸状軸輪６６の下方部分とを前記台座本体盤６０の内部に収納した状態で当該台座本体盤６０の上面を閉塞するように固定される台座カバー体７６と、前記中央凸状軸輪６６の上方部分であって前記台座カバー体７６から突出する上方軸輪部６６ａが貫通される開口８０を有し且つ前記微動回転ユニット６が固定されるスライド円板７９と、該スライド円板７９を挟持し且つ前記中央凸状軸輪６６の前記上方軸輪部６６ａに固定される固定板８１と、からなり、前記固定レバー７３を固定解除方向に移動操作して前記主動歯車７２と前記従動歯車６８とを回転させることにより、前記従動歯車６８の底面に形成される前記低凸部７０と前記中央凸状軸輪６６の当接突起６７とが当接した状態とし、この状態で前記台座カバー体７６と前記固定板８１とによる前記スライド円板７９の挟持状態が弛んだ状態となっているため、前記微動回転ユニット６が固定される前記スライド円板７９を前記開口８０と前記上方軸輪部６６ａの外形との間に形成される隙間の範囲内でスライド移動及び回転を行うことができるようにし、前記固定レバー７３を固定方向に移動操作して前記主動歯車７２と前記従動歯車６８とを回転させることにより、前記従動歯車６８の底面に形成される前記高凸部７１と前記中央凸状軸輪６６の当接突起６７とが当接した状態とし、この状態で前記台座カバー体７６と前記固定板８１とによる前記スライド円板７９の挟持状態が圧接した状態となっているため、前記微動回転ユニット６が固定される前記スライド円板７９を前記開口８０と前記上方軸輪部６６ａの外形との間に形成される隙間の範囲内でスライド移動及び回転を行うことができないように固定することを特徴とする。
【００１０】
更に、請求項３に係る発明が採用した構成を、図面を参照して説明すると、図２、図４、及び図８に示すように、請求項１又は請求項２に係るレーザー墨出器１において、前記微動回転機構は、前記微動回転ユニット６の主体を構成する微動回転盤３０の外側に突出する微動摘み４５と、前記微動回転盤３０に形成される調節ネジ取付筒部４３の内周に形成される雌ネジ穴４３ａに螺合され且つ前記微動摘み４５がその一端に固定される調節ネジ棒４４と、該調節ネジ棒４４の他端と当接する当接部５３を有し且つ前記微動回転盤３０の内部に揺動自在に軸支される揺動カム４８と、該揺動カム４８の揺動に沿ってスライドする円弧形状の円弧状スライド板３４，３５と、前記微動回転盤３０の内部に形成され且つ前記円弧状スライド板３４，３５を摺動案内する円弧状案内溝３１，３２と、前記円弧状スライド板３４，３５を前記揺動カム４８の揺動に沿ってスライドする方向と逆方向に付勢するスプリング５５と、前記円弧状スライド板３４，３５に連結固定されると共に前記レーザー照射ユニット５が載置固定される連結固定板４０と、からなり、前記円弧状案内溝３１，３２を前記２本の直交するレーザーラインの交差する交点を中心とする円弧状に形成し、前記微動摘み４５を回転操作して前記調節ネジ棒４４と前記雌ネジ穴４３ａとの螺合により前記揺動カム４８を揺動させて前記円弧状スライド板３４，３５を前記円弧状案内溝３１，３２に案内させて前記スプリング５５の付勢力に抗して円弧状にスライド移動させると共に、前記円弧状スライド板３４，３５に連結固定される連結固定板４０も円弧状にスライド移動させることにより、前記連結固定板４０に載置固定される前記レーザー照射ユニット５を該レーザー照射ユニット５から照射される２本の直交するレーザーラインの交差する交点を中心として微動させることを特徴とする。
【発明の効果】
【００１１】
請求項１に係る発明においては、微動回転機構４５等を微動回転させたときに、２本の直交するレーザーラインの交差する交点を中心にしてレーザー照射ユニット５を台座ユニット７に対して回転させることができるので、レーザー墨出器１から照射される垂直方向の２本のレーザーラインＲ１，Ｒ２の床面上の交点Ｏを基準点に迅速かつ正確に合わせ、その後微動回転ユニット６によってレーザー照射ユニット５を回転させてもレーザー交点Ｏが基準点からずれることないので、柱際や壁際での墨出作業を効率的に且つ迅速に行うことができる。
【００１２】
また、請求項２に係る発明においては、固定レバー７３を操作するだけで台座ユニット７の上部に載置される微動回転ユニット６及びカバー２，３を含むレーザー照射ユニット５を台座ユニット７に対して簡単に固定することができるので、レーザー墨出器１から照射される垂直方向の２本のレーザーラインＲ１，Ｒ２の床面上の交点Ｏを基準点に合致させた状態でレーザー照射ユニット５の固定作業を迅速に行うことができる。
【００１３】
更に、請求項３に係る発明においては、微動摘み４５を操作するだけで、レーザー交点Ｏが基準点からずれることない作業を簡単に行うことができる。
【図面の簡単な説明】
【００１４】
【図１】本実施形態に係るレーザー墨出器の分解斜視図である。
【図２】レーザー墨出器の微動回転ユニット及び台座ユニットの分解斜視図である。
【図３】微動回転ユニットと台座ユニットとを組付けた状態の断面斜視図である。
【図４】微動回転ユニットの分解斜視図である。
【図５】台座ユニットの分解斜視図である。
【図６】固定機構の固定解除時を説明するために台座カバー体の下側から見た斜視図（Ａ）と断面図（Ｂ）である。
【図７】固定機構の固定時を説明するために台座カバー体の下側から見た斜視図（Ａ）と断面図（Ｂ）である。
【図８】微動回転機構の作用を説明するための平面概略図である。
【図９】照射点レーザーを本体の中心に照射する従来のレーザー墨出器における壁際あるいは柱際における測量の作用を示す平面概略図である。
【図１０】２本の直交するレーザーラインの交差する交点を本体の外側に照射する従来のレーザー墨出器における壁際あるいは柱際における測量の作用を示す平面概略図である。
【図１１】図１０に示すレーザー墨出器における微動回転時の作用を説明するための平面概略図である。
【発明を実施するための形態】
【００１５】
以下、図面を参照して、本発明の実施形態について説明する。図１は、本実施形態に係るレーザー墨出器の分解斜視図である。図において、レーザー墨出器１は、２本の直交するレーザーラインを当該レーザー墨出器本体の外側の床面で交差させるレーザー発振器２３を備えたレーザー照射ユニット５と、レーザー照射ユニット５が載置固定さる微動回転ユニット６と、微動回転ユニット６に載置固定された状態のレーザー照射ユニット５を覆うカバー２，３と、カバー２，３を含む微動回転ユニット６を所定の範囲内でスライド移動可能に且つ回転自在に軸支する台座ユニット７と、から構成されている。なお、カバー２，３の下端には、カバー２，３をレーザー照射ユニット５にビス（図示しない）で取り付けたときに、そのビスの取付部分を覆うゴムリング４が取り付けられている。
【００１６】
上記の各構成において、図１に示すように、本実施形態におけるカバー２，３は、レーザー照射ユニット５の大部分を覆う本体カバー２と、レーザー照射ユニット５の９０度の位置に外側に向かって突出する垂直レーザー発振器２３，２４の下部を覆う補助カバー３とから構成されている。本体カバー２には、その上面にレーザー墨出器１の水準を測る水準器１０が設けられると共に電源や水平・垂直レーザー発振器をＯＮするための複数のスイッチを操作するためのスイッチ操作部１１が設けられている。また、本体カバー２の上方側面には、１２０度間隔をおいて横長な水平レーザー照射窓１２が形成され、その下部側面に９０度離れた位置に２つの垂直レーザー照射カバー取付部１３が突出形成されている。この垂直レーザー取付部１３には、三角形状の垂直レーザー照射カバー１３ａが取り付けられる（図１には、１つの当該取付部１３及び当該カバー１３ａしか図示されていないが、図８の概略図に９０度離れた位置に２つの当該カバー１３ａが示されている。）。垂直レーザー照射カバー１３ａには、その両側面及び底面に垂直レーザー照射窓１３ｂが形成されている。そして、上記のように１２０度間隔で設けられる３つの水平レーザー照射窓１２から照射されるレーザーラインによって３６０度の１本の水平レーザーラインが表示され、９０度離れた位置に設けられる２つの垂直レーザー照射カバー１３のそれぞれ３つの垂直レーザー照射窓１３ｂから床面、側面、天井面に亘って一周する２本の垂直レーザーラインが床面及び天井面で直交するように表示され、そのうち床面で直角に交差する交点が基準点となるものである。
【００１７】
また、本体カバー２の垂直レーザー照射カバー取付部１３の反対側の側面には、レーザー墨出器１を駆動するための電源バッテリーを収納するバッテリー収納ケース１４が設けられ、さらにレーザー墨出器１を持ち運びする際に、手を掛けるための手持ちバンド１５が取り付けられている。なお、本体カバー２の下端には、本体カバー２をレーザー照射ユニット５の照射ユニット台座２１にビスで固定するための止め長穴１７が形成される下端取付部１６が周設されている。
【００１８】
また、補助カバー３は、９０度離れて配置される垂直レーザー照射カバー取付部１３の下方を覆うように形成されるものであり、その上部に垂直レーザー発振器２３，２４の下部を覆う凹部１８が突出して形成され、その下端に補助カバー３をレーザー照射ユニット５の照射ユニット台座２１にビスで固定するための止め長穴２０が形成される下端取付部１９が周設されている。また、上記した垂直レーザー照射カバー１３ａの下方部分は、凹部１８の前面側を覆うように取り付けられるものである。なお、本実施形態において、カバーが本体カバー２と補助カバー３とに分割形成される理由は、後述するようにレーザー照射ユニット５の垂直レーザー発振器２３，２４の先端部分が平面から見てレーザー墨出器１の本体部分（本体カバー２の外周）より外側に出るように設けられるため、この外側に突出した垂直レーザー発振器２３，２４を上下の両方向から覆うようにするためである。
【００１９】
次に、図１に示すように、レーザー照射ユニット５には、円盤状の照射ユニット台座２１の上部に前記の３つの水平レーザー照射窓１２から水平方向のレーザーラインを照射するための３つの水平レーザー発振器２２と、前記２つの垂直レーザー照射窓１３ｂから垂直方向のレーザーラインを照射するための２つの垂直レーザー発振器２３，２４と、水平レーザー発振器２２及び垂直レーザー発振器２３，２４の点灯状態を制御するための回路が形成される回路基板２５と、が設けられている。垂直レーザー発振器２３，２４は、第１垂直レーザー発振器２３と第２垂直レーザー発振器２４とが９０度の位置となるように配置され、それぞれ平面から見てレーザー墨出器１の外形よりも外側にレーザーラインを照射するように平面から見て外周よりも外側に突出するように設けられ、しかも垂直レーザー照射カバー１３ａに形成される３つの垂直レーザー照射窓１３ｂからレーザーを照射するようになっている。なお、照射ユニット台座２１は、その下端が前記カバー２，３の下端取付部１６，１９が外接するように取付側面２６となっており、その取付側面２６に取付穴２７が適宜間隔を置いて形成され、この取付穴２７と下端取付部１６，１９に形成される止め長穴１７，２０とを合致させた状態で図示しないビスで止着することにより、レーザー照射ユニット５がカバー２，３に覆われることとなる。更に、照射ユニット台座２１の上面には、微動回転ユニット６の後述する連結固定板４０と連結固定するための連結ネジ２８を挿通するための複数の挿通穴が形成されている。
【００２０】
次に、本実施形態の要部を構成する微動回転ユニット６及び台座ユニット７の構成について説明するが、まず、台座ユニット７の詳細な構成について図２、図３、図５乃至図７を参照して説明する。図２は、レーザー墨出器１の微動回転ユニット６及び台座ユニット７の分解斜視図であり、図３は、微動回転ユニット６と台座ユニット７とを組付けた状態の断面斜視図であり、図５は、台座ユニット７の分解斜視図であり、図６は、固定機構の固定解除時を説明するために台座カバー体７６の下側から見た斜視図（Ａ）と断面図（Ｂ）であり、図７は、固定機構の固定時を説明するために台座カバー体の下側から見た斜視図（Ａ）と断面図（Ｂ）である。
【００２１】
図２、図３及び図５において、台座ユニット７は、当該台座ユニット７の主体を構成する台座本体盤６０に集約して構成されるものである。台座本体盤６０の外周には、等間隔に形成される３つの整準ネジ取付部６１が外側に向かって突設され、その整準ネジ取付部６１に形成される取付穴６２にレーザー墨出器１の水平状態を調整することができる整準ネジ６３が取付ネジ６４によって止着固定され、これによりレーザー墨出器１を三点支持している。取付穴６２には、整準ネジ６３を取り付けた後にその上面を閉塞するキャップ６５がはめ込まれている。なお、３箇所に設けられる整準ネジ６３は、前記水準器１０を見ながら何れかを回転操作することによりレーザー墨出器１の水平状態を出すことができるようになっている。
【００２２】
また、台座本体盤６０には、その内部に以下に説明する固定機構が設けられている。即ち、固定機構は、台座本体部６０の底面下部から外側に突出する固定レバー７３と、台座本体盤６０の内部に設けられ且つ固定レバー７３の操作により回転する主動歯車７２と、主動歯車７２の回転に従動回転すると共にその底面に高さの低い低凸部７０と高さの高い高凸部７１とが交互に形成される従動歯車６８と、従動歯車６８が回転自在に挿通軸支されると共にその下部に従動歯車６８の底面の低凸部７０及び高凸部７１と当接する当接突起６７が突出形成される中央凸状軸輪６６と、主動歯車７２と従動歯車６８と中央凸状軸輪６６の下方部分とを台座本体盤６０の内部に収納した状態で台座本体盤６０の上面を閉塞するように固定される台座カバー体７６と、中央凸状軸輪６６の上方部分であって台座カバー体７６から突出する上方軸輪部６６ａが貫通される開口８０を有し且つ微動回転ユニット６が固定されるスライド円板７９と、スライド円板７９を挟持し且つ中央凸状軸輪６６の前記上方軸輪部６６ａに固定される固定板８１と、から構成されている。
【００２３】
より詳細に説明すると、台座本体部６０は、上面が開放した円形凹状空間部を有するように形成され、その中央に中央凸状軸輪６６が載置されている。中央凸状軸輪６６が、上下で軸径が異なるように段差状に形成され、その下部の大径部分の下端から９０度間隔で４つの当接突起６７が外側に向かって突設されている。また、中央凸状軸輪６６の下部の大径部分に従動歯車６８の貫通軸穴６９が遊嵌（正確には、図６（Ｂ）に示すように大径部分に外嵌される台座カバー体７６の回転支持筒７７の外周に遊嵌されている。）され、その従動歯車６８の底面が図６及び図７に示すように高さの低い低凸部７０と高さの高い高凸部７１となっており、この低凸部７０と高凸部７１とが傾斜面で連結されている。なお、中央凸状軸輪６６の上部は切り込みが入れられた小径の上方軸輪部６６ａとなっており、この上方軸輪部６６ａが台座カバー体７６の回転支持筒７７及びスライド円板７９の円形開口８０（開口）を貫通して上方に突出している。
【００２４】
上記した中央凸状軸輪６６の大径部に遊嵌される従動歯車６８には、主動歯車７２が噛み合うようになっており、その主動歯車７２は、固定レバー７３に連結固定されている。固定レバー７３は、垂直部分と水平部分とが連結したＬ字状に形成され、その垂直部分を台座本体盤６０の下側から当該台座本体盤６０の底面に形成した貫通孔７５に差し込んで主動歯車７２を嵌合させた後ビス７４で固定することにより、固定レバー７３と主動歯車７２とが連結される。固定レバー７３の水平部分は、台座本体部６０の底面の裏面から外側に向かって突出した状態となっている。
【００２５】
台座本体盤６０の凹状の内部に上記の中央凸状軸輪６６と従動歯車６８と固定レバー７３と連結した主動歯車７２を収納した状態で、台座本体盤６０の凹状空間部の上面を閉塞する台座カバー体７６を被覆し、ビス７８で台座本体盤６０に固定する。このとき、台座カバー体７６の中央に形成される回転支持筒７７が中央凸状軸輪６６の大径部に外嵌するようになっており、従動歯車６８の貫通軸穴６９が回転支持筒７７の外周面に回転自在に軸支されるようになっている。また、中央凸状軸輪６６の上方軸輪部６６ａが回転支持筒７７を貫通して台座カバー体７６の上面に突出した状態となっている。
【００２６】
台座カバー体７６の上面には、スライド円板７９が載置される。このスライド円板７９には、微動回転ユニット６が固定されるようになっている。また、スライド円板７９の中央には、円形開口８０（開口）が形成されており、この円形開口８０に台座カバー体７６の上面に突出している中央凸状軸輪６６の上方軸輪部６６ａが貫通している。そして、円形開口８０の直径は、上方軸輪部６６ａの外形寸法よりも大きく形成されているため、円形開口８０と上方軸輪部６６ａの外形との間に形成される隙間の範囲内でスライド円板７９がスライド移動及び回転を行うことができるようになっている。
【００２７】
上記したスライド円板７９を台座カバー体７６とで挟持するための固定板８１が上方軸輪部６６ａに固定されている。上方軸輪部６６ａは、前述したように複数の縦方向の切れ込みが形成されているため、この上方軸輪部６６ａに固定板８１を外嵌させ、上方軸輪部６６ａの内部に固定ブロック８２を嵌入してビス８３で止着することにより、固定板８１と中央凸状軸輪６６とを連結させている。なお、図６（Ｂ）に示すように、台座本体盤６０に固定した台座カバー体７６にスライド円板７９と固定板８１とを取付固定した状態では、中央凸状軸輪６６の当接突起６７が台座カバー体７６の固定支持筒７７の底面よりも外側に突出した状態となっているので、中央凸状軸輪６６が台座本体盤６０から抜け落ちることはなく、中央凸状軸輪６６と固定板８１とが一体化した状態で上下方向の僅かな距離を移動可能な状態となっている。
【００２８】
上記のように構成される固定機構の作用について図６及び図７を参照して説明すると、固定解除方向に固定レバー７３が操作されているときには、図６に示すように、その移動操作に応じて主動歯車７２と従動歯車６８とが回転し、従動歯車６８の底面に形成される低凸部７０と中央凸状軸輪６６の当接突起６７とが当接した状態となる。この状態では、図６（Ｂ）に示すように、固定板８１とスライド円板７９との間にクリアランスＣが生じているため、台座カバー体７６と固定板８１とによるスライド円板７９の挟持状態が弛んだ状態となっている。このため、微動回転ユニット６が固定されるスライド円板７９を開口８０と上方軸輪部６６ａの外形との間に形成される隙間の範囲内でスライド移動及び回転を行うことができる。なお、実際のクリアランスＣは、固定板８１とスライド板７９との間に生じるのではなく、固定板８１及び中央凸状軸輪６６の自重によりそれらが下がっているため、低凸部７０と当接突起６７との間に生じている。
【００２９】
一方、固定方向に固定レバー７３が操作されているときには、図７に示すように、その移動操作に応じて主動歯車７２と従動歯車６８とが回転し、従動歯車６８の底面に形成される高凸部７１と中央凸状軸輪６６の当接突起６７とが当接して中央凸状軸輪６８及び固定板８１を押し下げた状態となる。この状態で台座カバー体７６と固定板８１とによるスライド円板７９の挟持状態が圧接した状態となっているため、微動回転ユニット６が固定されるスライド円板７９を開口８０と上方軸輪部６６ａの外形との間に形成される隙間の範囲内でスライド移動及び回転を行うことができないように固定した状態となっている。このように固定レバー７３を操作するだけで台座ユニット７の上部に載置される微動回転ユニット６及びカバー２，３を含むレーザー照射ユニット５を台座ユニット７に対して簡単に固定することができる。
【００３０】
次に、図２〜図４及び図８を参照して微動回転ユニットについて詳細に説明する。図４は、微動回転ユニット６の分解斜視図であり、図８は、微動回転機構の作用を説明するための平面概略図である。図３及び図４において、微動回転ユニット６は、当該微動回転ユニット６の主体を構成する微動回転盤３０に集約して構成されるものである。微動回転盤３０は、上面が閉塞された凹状空間部を有するように形成され、その内部に以下に説明する微動回転機構が設けられている。即ち、微動回転機構は、微動回転盤３０の外側に突出する微動摘み４５と、微動回転盤３０に形成される調節ネジ取付筒部４３の内周に形成される雌ネジ穴４３ａに螺合され且つ微動摘み４５がその一端に固定される調節ネジ棒４４と、調節ネジ棒４４の他端と当接する当接部５３を有し且つ微動回転盤３０の内部に揺動自在に軸支される揺動カム４８と、揺動カム４８の揺動に沿ってスライドする円弧形状の円弧状スライド板３４，３５と、微動回転盤３０の内部に形成され且つ円弧状スライド板３４，３５を摺動案内する円弧状案内溝３１，３２と、円弧状スライド板３４，３５を揺動カム４８の揺動に沿ってスライドする方向と逆方向に付勢するスプリング５５と、円弧状スライド板３４，３５に連結固定されると共にレーザー照射ユニット５が載置固定される連結固定板４０と、からなり、円弧状案内溝３１，３２を２本の直交するレーザーラインの交差する交点を中心とする円弧状に形成されているものである。
【００３１】
より詳細に説明すると、微動回転盤３０の内部には、２つの円弧状案内溝３１，３２が形成されている。図４において、円弧状案内溝３１，３２を破線で示しているのは、図３に示すように、微動回転盤３０の内部空間に対抗する一対の突起によって円弧状案内溝３１，３２が形成されているからである。この円弧状案内溝３１，３２の上面には、次に説明する円弧状スライド板３４，３５に設けられる案内突起３６が挿通される案内長穴３３が形成されている。また、円弧状案内溝３１，３２には、円弧状スライド板３４，３５が収納されるようになっている。２つの円弧状スライド板３４，３５のうち、第１円弧状案内溝３１に収納される第１円弧状スライド板３４の両端部の一側辺には弾性当接片３７が形成されると共に、後述する揺動カム４８の押圧部５４と当接する当接突部３８とスプリング５５の一端を係止するための係止突部（符号なし）とがその裏面側に形成されている。スプリング５５の他端は、微動回転盤３０の内周側面に形成される係止部（図示しない）に係止されるようになっている。なお、弾性当接片３７は、第１円弧状スライド板３４が第１円弧状案内溝３１に収納されたときに溝を形成する突起の側面に弾性的に当接して第１円弧状スライド板３４がガタつくことなく第１円弧状案内溝３１に沿って正確に円弧状にスライドするために形成されるものである。なお、第２円弧状スライド板３５には、この弾性当接片３７に相当するものが形成されていないが、当然のことながら第２円弧状スライド板３５にも弾性当接片３７を形成しても良い。
【００３２】
また、上記のように円弧状案内溝３１，３２に挿入された円弧状スライド板３４，３５の上面には、前述したように案内突起３６が固定されており、この案内突起３６が微動回転盤３０の上面に形成される案内長孔３３に嵌挿されると共に案内突起３６に形成される挿通穴にビス３９を差し込んで、そのビス３９を連結固定板４０の止め穴４１に螺着することにより、円弧状スライド板３４，３５と連結固定板４０とが円弧状案内溝３１，３２に沿ってスライドするようになっている。また、スライド移動距離は、案内突起３６が案内長孔３３を移動し得る範囲である。なお、連結固定板４０には、レーザー照射ユニット５の照射ユニット台座２１の上面から差し込まれる連結ネジ２８を螺合するための連結穴４２が穿設されている。
【００３３】
一方、微動回転盤３０の側面には、調節ネジ取付筒部４３が突出形成され、その調節ネジ取付筒部４３の中心に形成される雌ネジ穴４３ａに雄ネジが切られた調節ネジ棒４４が螺合されるようになっている。調節ネジ棒４４の外側一端には微動摘み４５が止めネジ４６（図３参照）によって固着され、調節ネジ棒４４の内側他端には押圧部４７が形成されている。また、微動回転盤３０の内部には、調節ネジ取付筒部４３の近傍に揺動カム４８が取り付けられている。揺動カム４８の軸穴４９に軸受筒５０を嵌入してワッシャー５１を介してビス５２で揺動カム４８を微動回転盤４８の内部に止着固定している。揺動カム４８が止着固定された状態においては、スプリング５５の付勢力により揺動カム４８の後端部に形成される当接部５３が調節ネジ棒４４の押圧部４７と当接した状態となり、揺動カム４８の前端部に形成される押圧部５４が第１円弧状スライド板３４の当接突部３８に当接している。
【００３４】
上記のように構成される微動回転機構の作用について図４及び図８を参照して説明すると、微動摘み４５を回転操作して調節ネジ棒４４と雌ネジ穴４３ａとの螺合により揺動カム４８を揺動させることにより、揺動カム４８の押圧部５４と第１円弧状スライド板３４の当接突部３８とが当接してスプリング５５の付勢力に抗して又は付勢力により円弧状スライド板３４，３５を円弧状案内溝３１，３２に案内させて円弧状にスライド移動させると共に、円弧状スライド板３４，３５に連結固定される連結固定板４０も円弧状にスライド移動する。このため、図８（Ｂ）に示すように、連結固定板４０に載置固定されるレーザー照射ユニット５を該レーザー照射ユニット５から照射される２本の直交するレーザーラインＲ１，Ｒ２の交差する交点Ｏを中心として微動させることができ、目標とする設定ラインＳにレーザーラインＲ１を合致させることができる。なお、微動回転機構を操作する場合には、台座ユニット７に設けられる固定機構によって微動回転ユニット６が固定された状態で行うことが望ましい。固定した状態で微動回転機構を操作すると、微動回転機構を操作しているときにスライド円板７９がスライドして微動前の基準点がずれるおそれがあるからである。
【００３５】
なお、上記したレーザー墨出器１を組み立てるには、内部に固定機構を組付けた後の台座ユニット７に微動回転機構を内蔵させた微動回転ユニット６を組み付け、その後微動回転ユニット６の連結固定板４０にレーザー照射ユニット５をビス２８で止着し、さらにレーザー照射ユニット５を覆うように本体カバー２と補助カバー３の順でレーザー照射ユニット５にカバー２，３を取り付け、最後に垂直レーザー照射カバー１３ａを組み付けることにより、レーザー墨出器１の組み立てが完了する。
【００３６】
以上、本発明の実施形態について詳細に説明したが、本発明によれば、レーザー墨出器から照射される垂直方向の２本のレーザーの床面上の交点を、基準点に迅速かつ正確に合わせ、さらに該レーザー墨出器を回転させても基準点からレーザー交点がずれることない。
【符号の説明】
【００３７】
１  レーザー墨出器
２  本体カバー（カバー）
３  補助カバー（カバー）
５  レーザー照射ユニット
６  微動回転ユニット
７  台座ユニット
１３ａ  垂直レーザー照射カバー
２０  照射ユニット台座
２３  第１垂直レーザー発振器
２４  第２垂直レーザー発振器
３０  微動回転盤
３１  第１円弧状案内溝
３２  第２円弧状案内溝
３４  第１円弧状スライド板
３５  第２円弧状スライド板
４０  連結固定板
４３  調節ネジ取付筒部
４３ａ  雌ネジ穴
４４  調節ネジ棒
４５  微動摘み
４８  揺動カム
５５  スプリング
６０  台座本体盤
６６  中央凸状軸輪
６６ａ  上方軸輪部
６７  当接突起
６８  従動歯車
７０  低凸部
７１  高凸部
７２  主動歯車
７３  固定レバー
７６  台座カバー体
７９  スライド円板
８０  円形開口（開口）
８１  固定板
【図１】
2014169909.tif 000003
【図２】
2014169909.tif 000004
【図３】
2014169909.tif 000005
【図４】
2014169909.tif 000006
【図５】
2014169909.tif 000007
【図８】
2014169909.tif 000008
【図９】
2014169909.tif 000009
【図１０】
2014169909.tif 000010
【図１１】
2014169909.tif 000011
【図６】
2014169909.tif 000012
【図７】
2014169909.tif 000013